(57)【特許請求の範囲】
【請求項１】
無線通信ネットワークにおいて無線デバイスからネットワークノードに測定を報告する方法であって、前記方法は、
少なくとも１つの測定を実施するために少なくとも１つの測定設定を取得すること（Ｓ４０５）と、
アップリンク（ＵＬ）送信設定を取得すること（Ｓ４１０）であって、前記ＵＬ送信設定が、前記ネットワークノードに少なくとも１つの測定結果を報告するために前記無線デバイスによって使用されるべきアップリンク信号の繰返しレベルに関連する少なくとも１つのパラメータを備え、前記アップリンク信号の前記繰返しレベルは、前記少なくとも１つの測定が実施される測定および／またはイベントのタイプに少なくとも部分的に依存する、アップリンク（ＵＬ）送信設定を取得すること（Ｓ４１０）と、
少なくとも１つの測定結果を取得するために、少なくとも１つの測定を実施すること（Ｓ４１５）と、
取得された前記ＵＬ送信設定を適用することによって、前記ネットワークノードに前記少なくとも１つの測定結果を報告すること（Ｓ４２０）と
を含み、
前記アップリンク信号の前記繰返しレベルが２以上の場合、前記無線デバイスが、追加の遅延を有する報告遅延要件の下で前記少なくとも１つの測定結果を報告する、
方法。
【請求項２】
前記アップリンク信号の前記繰返しレベルが、さらに、
ダウンリンク信号の繰返しレベル、
別のネットワークノードから受信された情報、
前記ネットワークノードに対する前記無線デバイスのカバレッジ拡張（ＣＥ）レベル、
あらかじめ規定されたルール、および／または
過去に使用された１つまたは複数の履歴繰返し値
のうちの１つまたは複数に少なくとも部分的に依存する、請求項１に記載の方法。
【請求項３】
測定および／またはイベントの前記タイプが、前記測定および／または前記イベントの重要性レベルを含む、請求項１に記載の方法。
【請求項４】
測定および／またはイベントの前記タイプが、チャネル状態情報（ＣＳＩ）測定、測位のための測定、測位イベント、無線リンク監視のための測定、自己組織化ネットワークのための測定、ドライブテストの最小化のための測定、モビリティのための測定、またはモビリティイベントのうちの１つである、請求項１から３のいずれか一項に記載の方法。
【請求項５】
前記アップリンク信号が、ＣＳＩ測定を報告するために使用されるとき、前記繰返しレベルは、前記アップリンク信号がモビリティイベントに関して実施される測定を報告するために使用されるときよりも高い、請求項４に記載の方法。
【請求項６】
前記アップリンク信号が、ＣＳＩ測定を報告するために使用されるとき、前記繰返しレベルは、前記アップリンク信号が測位イベントに関して実施される測定を報告するために使用されるときよりも高い、請求項４に記載の方法。
【請求項７】
前記アップリンク信号が、測位イベントに関して実施される測定を報告するために使用されるとき、前記繰返しレベルは、前記アップリンク信号がモビリティイベントに関して実施される測定を報告するために使用されるときよりも高い、請求項４に記載の方法。
【請求項８】
測定および／またはイベントの前記タイプが、周期報告型またはイベントトリガ型のいずれかであり、前記アップリンク信号が、イベントトリガ型測定を報告するために使用されるとき、前記繰返しレベルは、前記アップリンク信号が周期的測定を報告するために使用されるときよりも高い、請求項１から３のいずれか一項に記載の方法。
【請求項９】
前記少なくとも１つの測定結果が、物理アップリンク共有チャネル（ＰＵＳＣＨ）上にマッピングされた無線リソース制御（ＲＲＣ）メッセージ中で前記ネットワークノードに報告される、請求項１から８のいずれか一項に記載の方法。
【請求項１０】
前記ネットワークノードから、プロシージャを実装するための命令を受信すること（Ｓ４２５）であって、前記プロシージャが、前記少なくとも１つの測定結果に依拠する、プロシージャを実装するための命令を受信すること（Ｓ４２５）
をさらに含む、請求項１から９のいずれか一項に記載の方法。
【請求項１１】
前記プロシージャが、スケジューリングプロシージャ、電力制御プロシージャ、モビリティプロシージャ、自己組織化ネットワークプロシージャ、ドライブテストの最小化プロシージャ、およびネットワークプランニングプロシージャのうちの１つである、請求項１０に記載の方法。
【請求項１２】
前記少なくとも１つのパラメータが、前記少なくとも１つの測定結果を報告するために前記無線デバイスによって使用されるべき繰返しの最大数である、請求項１から１１のいずれか一項に記載の方法。
【請求項１３】
無線通信ネットワークにおいて無線デバイスからネットワークノードに測定を報告するために前記無線デバイスを設定する方法であって、前記方法は、
前記無線デバイスが、少なくとも１つの測定を実施するように設定されているのか、実施するように設定されるべきであるのかに関する情報を取得すること（Ｓ６０５）と、
前記無線デバイスが、少なくとも１つの測定を実施するように設定されているのか、実施するように設定されるべきであるのかに関する取得された前記情報に基づいて、前記無線デバイスのためのアップリンク（ＵＬ）送信設定を決定すること（Ｓ６１０）であって、前記ＵＬ送信設定が、前記ネットワークノードに少なくとも１つの測定結果を報告するために前記無線デバイスによって使用されるべきアップリンク信号の繰返しレベルに関連する少なくとも１つのパラメータを含み、前記アップリンク信号の前記繰返しレベルは、前記少なくとも１つの測定が実施される測定および／またはイベントのタイプに少なくとも部分的に依存する、アップリンク（ＵＬ）送信設定を決定すること（Ｓ６１０）と、
決定された前記ＵＬ送信設定を伴って前記無線デバイスを設定すること（Ｓ６１５）と
を含み、
前記アップリンク信号の前記繰返しレベルが２以上の場合、前記無線デバイスが、前記少なくとも１つの測定結果を報告することにおける追加の遅延を許容される、
方法。
【請求項１４】
前記アップリンク信号の前記繰返しレベルが、さらに、
ダウンリンク信号の繰返しレベル、
別のネットワークノードから受信された情報、
前記ネットワークノードに対する前記無線デバイスのカバレッジ拡張（ＣＥ）レベル、
あらかじめ規定されたルール、および／または
過去に使用された１つまたは複数の履歴繰返し値
のうちの１つまたは複数に少なくとも部分的に依存する、請求項１３に記載の方法。
【請求項１５】
測定および／またはイベントの前記タイプが、前記測定および／または前記イベントの重要性レベルを含む、請求項１３に記載の方法。
【請求項１６】
測定および／またはイベントの前記タイプが、チャネル状態情報（ＣＳＩ）測定、測位イベント、またはモビリティイベントのうちの１つである、請求項１３から１５のいずれか一項に記載の方法。
【請求項１７】
前記アップリンク信号が、ＣＳＩ測定を報告するために使用されるとき、前記繰返しレベルは、前記アップリンク信号がモビリティイベントに関して実施される測定を報告するために使用されるときよりも高い、請求項１５に記載の方法。
【請求項１８】
前記アップリンク信号が、ＣＳＩ測定を報告するために使用されるとき、前記繰返しレベルは、前記アップリンク信号が測位イベントに関して実施される測定を報告するために使用されるときよりも高い、請求項１５に記載の方法。
【請求項１９】
前記アップリンク信号が、測位イベントに関して実施される測定を報告するために使用されるとき、前記繰返しレベルは、前記アップリンク信号がモビリティイベントに関して実施される測定を報告するために使用されるときよりも高い、請求項１５に記載の方法。
【請求項２０】
測定および／またはイベントの前記タイプが、周期報告型またはイベントトリガ型のいずれかであり、前記アップリンク信号が、イベントトリガ型測定を報告するために使用されるとき、前記繰返しレベルは、前記アップリンク信号が周期的測定を報告するために使用されるときよりも高い、請求項１３から１５のいずれか一項に記載の方法。
【請求項２１】
前記無線デバイスから、物理アップリンク共有チャネル（ＰＵＳＣＨ）上にマッピングされた無線リソース制御（ＲＲＣ）メッセージを受信することであって、前記ＲＲＣメッセージが、前記少なくとも１つの測定結果を含む、無線リソース制御（ＲＲＣ）メッセージを受信することをさらに含む、請求項１３から２０のいずれか一項に記載の方法。
【請求項２２】
前記少なくとも１つの測定結果を受信することと、
プロシージャを実装するために前記少なくとも１つの測定結果を使用することと、
前記プロシージャの無線デバイス部分を実装するようにとの命令を前記無線デバイスに送ることと
をさらに含む、請求項１３から２１のいずれか一項に記載の方法。
【請求項２３】
前記プロシージャが、スケジューリングプロシージャ、電力制御プロシージャ、モビリティプロシージャ、自己組織化ネットワークプロシージャ、ドライブテストの最小化プロシージャ、およびネットワークプランニングプロシージャのうちの１つである、請求項２２に記載の方法。
【請求項２４】
前記少なくとも１つのパラメータが、前記少なくとも１つの測定結果を報告するために前記無線デバイスによって使用されるべき繰返しの最大数である、請求項１３から２３のいずれか一項に記載の方法。
【請求項２５】
請求項１から１２のいずれか一項に記載の方法を実施するように適応された、無線デバイス（１０５、２００、５００）。
【請求項２６】
無線デバイス（２００）であって、
トランシーバ（２１５）と、
プロセッサ（２０５）と、
前記プロセッサ（２０５）によって実行されたとき、前記無線デバイスに、請求項１から１２のいずれか一項に記載の方法を実施させる命令を含んでいるメモリ（２１０）と
を備える、無線デバイス（２００）。
【請求項２７】
請求項１３から２４のいずれか一項に記載の方法を実施するように適応された、ネットワークノード（１１０、３００、７００）。
【請求項２８】
ネットワークノード（３００）であって、
トランシーバ（３２０）と、
プロセッサ（３０５）と、
前記プロセッサ（３０５）によって実行されたとき、前記ネットワークノードに、請求項１３から２４のいずれか一項に記載の方法を実施させる命令を含んでいるメモリ（３１０）と
を備える、ネットワークノード（３００）。
【発明の詳細な説明】
【技術分野】
【０００１】
関連出願
本出願は、その全体が参照により本明細書に組み込まれる、２０１７年２月３日に出願された、「Ｍｅｔｈｏｄ  ｆｏｒ  ｍｅａｓｕｒｅｍｅｎｔ  ｒｅｐｏｒｔｉｎｇ  ｕｎｄｅｒ  ｅｘｔｅｎｄｅｄ  ｃｏｖｅｒａｇｅ」と題する米国特許出願第６２／４５４，５５６号の優先権および利益を主張する。
【０００２】
無線通信システムにおける拡大カバレッジまたはカバレッジ拡張（ＣＥ）の下での測定報告を改善するための実施形態が開示される。
【背景技術】
【０００３】
Ｉ．マシン型通信（ＭＴＣ）デバイス
移動体無線通信システムは、使用事例の多様なセットおよび展開シナリオの多様なセットをサポートしなければならない。ますます相互接続された世界においてより一般的になることが予想される１つの使用事例または展開シナリオは、マシンツーマシン（Ｍ２Ｍ）通信（または別名、マシン型通信（ＭＴＣ））であり、これは、マシン間のおよび／またはマシンと人間との間の通信の確立を指す。Ｍ２Ｍ通信は、データ、シグナリング、測定データ、設定情報などの交換からなり得る。Ｍ２Ｍデバイスのサイズは、札入れのサイズから基地局のサイズまで変動し得る。Ｍ２Ｍデバイスは、環境状態を検知すること（たとえば、温度読取り）、計測または測定（たとえば、電力使用量など）、障害発見または誤り検出などのような適用例のために極めて頻繁に使用される。これらの適用例では、Ｍ２Ｍデバイスは、ほとんどアクティブにならないが、たとえば、２秒ごとに１回約２００ｍｓ、６０分ごとに約５００ｍｓなど、サービスのタイプに応じて連続する持続時間にわたってアクティブになる。Ｍ２Ｍデバイスはまた、他の周波数または他のＲＡＴ上で測定を行い得る。
【０００４】
Ｍ２ＭまたはＭＴＣデバイスは、一般に、低コストおよび低複雑度のものであることが予想される。Ｍ２Ｍ動作のために想定される低複雑度無線デバイスは、より小さいダウンリンクおよびアップリンク最大トランスポートブロックサイズ（たとえば、１０００ビット）ならびに／またはデータチャネル（たとえば、ＰＤＳＣＨ）のための１．４ＭＨｚの低減されたダウンリンクチャネル帯域幅のような、１つまたは複数の低コスト特徴を実装し得る。低コストデバイスは、半二重（ＨＤ−ＦＤＤ）通信リンク能力および／または、以下の追加の特徴、すなわち、単一の受信機（１つのＲｘ）、より小さいダウンリンクおよび／またはアップリンク最大トランスポートブロックサイズ（たとえば１０００ビット）ならびにデータチャネルのための１．４ＭＨｚの低減されたダウンリンクチャネル帯域幅、のうちの１つまたは複数、をも含み得る。低コストデバイスまたはＵＥは、低複雑度デバイスまたはＵＥと呼ばれることもある。
【０００５】
Ｍ２Ｍデバイスと基地局との間の経路損失は、Ｍ２Ｍデバイスが、建築物の地階中など、遠隔ロケーション中にあるセンサーまたは計量デバイスとして使用されるときなど、いくつかのシナリオでは極めて大きくなり得る。そのようなシナリオでは、基地局または他の送信ポイントからの信号の受信が極めて難しい。たとえば、経路損失は、通常動作と比較して２０ｄＢよりも悪くなり得る。そのような課題に対処するために、アップリンクにおけるおよび／またはダウンリンクにおけるカバレッジは、通常カバレッジ（すなわち、レガシーカバレッジ）に対して実質的に拡張されなければならない。これは、カバレッジを拡張するためのＵＥにおけるおよび／または無線ネットワークノードにおける１つまたは複数の高度技法を採用することによって実現される。そのような高度技法のいくつかの非限定的な例は、（限定はしないが）送信電力ブースティング、送信信号の繰返し、送信信号に追加の冗長性を適用すること、高度／拡張受信機の使用などを含む。概して、そのようなカバレッジ拡張技法を採用するとき、Ｍ２Ｍデバイスは、「カバレッジ拡張モード」で動作していると見なされる。その上、低複雑度ＵＥ（たとえば、１つのＲｘをもつＵＥ）が、カバレッジ拡張動作モードをサポートすることが可能であり得る。
ＩＩ．狭帯域モノのインターネット（ＮＢ−ＩｏＴ）
【０００６】
狭帯域モノのインターネット（ＮＢ−ＩＯＴ）は、改善された屋内カバレッジに対処するＥ−ＵＴＲＡの非後方互換性変形態、大量の低スループットデバイスのサポート、低遅延感度、超低デバイスコスト、低デバイス電力消費および（最適化された）ネットワークアーキテクチャに大いに基づく、セルラーモノのインターネット（ＩＯＴ）のための無線アクセス方式である。
【０００７】
ＮＢ−ＩＯＴキャリア帯域幅（Ｂｗ２）は２００ＫＨｚである。ＬＴＥの動作帯域幅（Ｂｗ１）の例は、１．４ＭＨｚ、３ＭＨｚ、５ＭＨｚ、１０ＭＨｚ、１５ＭＨｚ、２０ＭＨｚなどである。
【０００８】
ＮＢ−ＩｏＴは、３つの異なる展開シナリオをサポートする。
【０００９】
第１の展開シナリオは、たとえば、１つまたは複数のＧＳＭキャリアの代替としてＧＥＲＡＮシステムによって現在使用されているスペクトルを利用する「スタンドアロン動作」である。原則として、スタンドアロン動作は、別のシステムのキャリア内にも別のシステムの動作キャリアのガード帯域内にもない任意のキャリア周波数上で動作する。他のシステムは、別のＮＢ−ＩＯＴ動作または、ＬＴＥなど、任意の他のＲＡＴであり得る。
【００１０】
第２の展開シナリオは、ＬＴＥキャリアのガード帯域内の未使用リソースブロックを利用する「ガード帯域動作」である。ガード帯域という用語は、ガード帯域幅と互換的に呼ばれることもある。一例として、２０ＭＨｚのＬＴＥ帯域幅（すなわち、Ｂｗ１＝２０ＭＨｚまたは１００個のＲＢ）の場合、ＮＢ−ＩＯＴのガード帯域動作は、中心１８ＭＨｚ外であるが２０ＭＨｚ  ＬＴＥ  ＢＷ内のどこにでも配置され得る。
【００１１】
第３の展開シナリオは、通常ＬＴＥキャリア内のリソースブロックを利用する「帯域内動作」である。帯域内動作は、帯域幅内動作（ｉｎ−ｂａｎｄｗｉｄｔｈ  ｏｐｅｒａｔｉｏｎ）と互換的に呼ばれることもある。より一般的には、別のＲＡＴの帯域幅内のあるＲＡＴの動作も、帯域内動作と呼ばれる。一例として、５０個のＲＢのＬＴＥ帯域幅（すなわち、Ｂｗ１＝１０ＭＨｚまたは５０個のＲＢ）では、５０個のＲＢ内の１つのリソースブロック（ＲＢ）上のＮＢ−ＩＯＴ動作が、帯域内動作と呼ばれる。
【００１２】
ＮＢ−ＩｏＴでは、ダウンリンク送信は、すべてのシナリオ、すなわち、スタンドアロン、ガード帯域、および帯域内について、レガシーＬＴＥの場合のように１５ｋＨｚサブキャリア間隔および同じシンボルおよびサイクリックプレフィックス持続時間をもつＯＦＤＭに基づく。ＵＬ送信について、ＳＣ−ＦＤＭＡ上の１５ｋＨｚサブキャリア間隔をもつ基づくマルチトーン送信と、３．７５ｋＨｚまたは１５ｋＨｚのいずれかのサブキャリア間隔をもつシングルトーン送信の両方がサポートされる。
【００１３】
ダウンリンク送信は、１５ｋＨｚサブキャリア間隔をもつＯＦＤＭに基づく。アップリンク送信は、シングルトーンまたはマルチトーン（３、６または１２トーン）送信をサポートする、ＳＣ−ＦＤＭＡに基づく。
ＩＩＩ．セル探索
【００１４】
ＬＴＥのＦＤＤ設定では、ダウンリンク（ＤＬ）サブフレーム＃０およびサブフレーム＃５が、同期信号（すなわち、ＰＳＳとＳＳＳの両方）を搬送する。ＴＤＤ設定では、無線フレームごとに同期信号の２つのペアが、それぞれ、サブフレーム０および１、ならびに５および６によって搬送される。簡潔のために、および説明を簡略化するために、本明細書ではセル探索がＦＤＤ設定のみに関して説明される。ただし、ＦＤＤシステムにおけるセル探索とＴＤＤシステムにおけるセル探索とに関して有意な差がなく、このため、説明は、容易にＴＤＤシナリオに適応され得る。
【００１５】
未知のセル（たとえば、新しいネイバーセル）を識別するために、無線デバイスは、そのセルのタイミングを、最終的に物理セルＩＤ（ＰＣＩ）を収集する。その後、無線デバイスは、（アイドルモードにおける無線デバイス制御モビリティの場合）無線デバイス自体によって使用するために、および／またはネットワークノードに測定を報告するために、新たに識別されたセルのＲＳＲＰおよび／またはＲＳＲＱをも測定する。合計、５０４個のＰＣＩがある。
【００１６】
それゆえ、ＵＥは、ＤＬサブフレーム＃０中のおよび／またはＤＬサブフレーム＃５中の受信されたＰＳＳ／ＳＳＳ信号を、あらかじめ規定されたＰＳＳ／ＳＳＳシーケンスのうちの１つまたは複数と相関させることによって、セルを探索または識別する（すなわち、セルのＰＣＩを収集する）。ＰＣＩ収集のためのサブフレーム＃０のおよび／またはＤＬサブフレーム＃５中の使用は、無線デバイス実装形態に依存する。無線デバイスは、少なくとも（１つまたは複数の）サービングキャリア周波数上のネイバーセルを識別することを定期的に試みる。ただし、無線デバイスはまた、ネットワークノードによってそうするように設定されたとき、（１つまたは複数の）非サービングキャリア上のセルを探索し得る。無線デバイス電力消費を最小化するために、一般に、無線デバイスは、同期信号を搬送するＤＬサブフレームのうちの１つ、すなわち、＃０または＃５中で探索する。無線デバイスのバッテリー電力をさらに節約するために、無線デバイスは、非ＤＲＸにおいてまたは短いＤＲＸサイクル（たとえば、最大４０ｍｓ）において４０ｍｓごとに１回、周波数内キャリア上の新たに検出可能なネイバーセルを探索する。より長いＤＲＸサイクルでは、無線デバイスは、一般に、ＤＲＸサイクルごとに１回、新たに検出可能なネイバーセルを探索する。各探索試み中に、無線デバイスは、一般に、５〜６ｍｓの無線サンプルのスナップショットを記憶し、記憶された信号を知られているＰＳＳ／ＳＳＳシーケンスと相関させることによって、それらのサンプルを後処理する。５〜６ｍｓの無線サンプルを収集する理由は、（１つまたは複数の）ネイバーセルがサービングセルに同期していない場合、無線デバイスは、同期信号を正確にどこで見つけるべきかを知らないが、５ｍｓごとに送信される１つのそのような信号があることを知っていることである。非ＤＲＸでは、無線デバイスは、８００ｍｓ内に（ＲＳＲＳ／ＲＳＲＱ測定を含む）周波数内セルを識別することが可能である（すなわち、セル識別（ＰＣＩ収集）およびＲＳＲＰ／ＲＳＲＱ測定のための、それぞれ、１５個および５つのサンプルを含む合計２０回の試み）。
【００１７】
ｅＭＴＣ／ｆｅＭＴＣのための現在の探索要件は、ＣＥＭｏｄｅＡおよびＣＥＭｏｄｅＢまたは通常カバレッジおよび拡張カバレッジを含むカバレッジモードに依存する。ｅＭＴＣ／ｆｅＭＴＣ／Ｎｂ−ＩＯＴのためのカバレッジモードおよび異なるカバレッジエリアが、以下の詳細な説明セクションにおいて説明される。接続状態では、無線デバイスチャネル帯域幅が、限定され得、システム帯域幅内のどこにでもあり得るので、ｅＭＴＣ／ｆｅＭＴＣ  ＵＥは、セル探索プロシージャを実施するためにギャップを必要とし得る。ただし、ＰＳＳ／ＳＳＳは、常に、中心の６つのＰＲＢ上で送信される。ギャップは、セルのＰＣＩを読み取り、収集するために、中心ＰＲＢに再同調するために無線デバイスによって使用される。このため、セル識別遅延は、一般にＬＴＥ無線デバイスに必要なものよりもはるかに長い。さらに、遅延は、ギャップパターンＩＤにも依存する。
【００１８】
周波数内カテゴリーＭ１  ＣＥＭｏｄｅＡセル識別遅延および測定遅延が、３ＧＰＰ  ＴＳ  ３６．１３３  ｖ１３．６．０からの表８．１３．２．１．１．１−１中に明記されており、これは、ＦＤＤ周波数内セルのためのセル識別遅延および測定遅延に関する以下の要件を明記している。
0006805356.tif 000002
【００１９】
対応する周波数内カテゴリーＭ１  ＣＥＭｏｄｅＢ要件は、以下のように、すでに識別されたセルおよび検出されている隣接セルのＥｓ／ｉｏｔに依存する。
0006805356.tif 000003
【００２０】
上記の表によって参照される、３ＧＰＰ  ＴＳ  ３６．１３３  ｖ１３．６．０からの表８．１３．３．１．１．１−１は、ＦＤＤ周波数内セルのためのセル識別遅延および測定遅延に関する以下の要件を明記している。
0006805356.tif 000004
【００２１】
ＵＥカテゴリーＮＢ１としても知られるＮＢ−ＩｏＴの場合、リリース１３のセル識別要件がアイドル状態において規定される。カテゴリーＭ１と同様に、これらの要件は、カバレッジモードにも依存する。要件は、通常カバレッジと比較して拡張カバレッジの場合、より緩和され、すでに検出されたセルのＥｓ／Ｉｏｔにも依存する。しかしながら、ＮＢ−ＩｏＴセル探索は、アイドル状態において実施されるので、ギャップは必要とされない。最も短いＤＲＸサイクル長の場合、検出遅延は、通常カバレッジにおいて５１秒として明記され、測定期間は、１．２８秒として明記される。しかしながら、拡張カバレッジにおける対応する要件は最大５３２秒であるが、測定期間は通常カバレッジの場合と同じままである。厳密な要件は、通常カバレッジの場合、ＴＳ  ３６．１３３  ｖ１３．６．０における表４．６．２．２−１中に、拡張カバレッジの場合、３６．１３３  ｖ１３．６．０における表４．６．２．４−３中に見つけられ得る。
ＩＶ．無線デバイス測定
【００２２】
無線デバイスによって行われる無線測定は、一般に、いくつかの知られている参照シンボルまたはパイロットシーケンスを介して、サービングセル上でならびにネイバーセル上で実施される。測定は、周波数内キャリア上、（１つまたは複数の）周波数間キャリア上、ならびに（１つまたは複数の）ＲＡＴ間キャリア上（ＵＥがそのＲＡＴをサポートするかどうかＵＥ能力に応じる）のセル上で行われる。ギャップを必要とする無線デバイスのための周波数間およびＲＡＴ間測定を可能にするために、ネットワークは、測定ギャップを設定する。
【００２３】
測定は、様々な目的のために行われる。いくつかの例示的な測定目的は、モビリティ、測位、自己組織化ネットワーク（ＳＯＮ）、ドライブテストの最小化（ＭＤＴ）、オペレーションおよびメンテナンス（Ｏ＆Ｍ）、ネットワークプランニングおよび最適化などである。ＬＴＥネットワークにおける測定の例は、（ＰＣＩ収集とも呼ばれる）セル識別、参照シンボル受信電力（ＲＳＲＰ）、参照シンボル受信品質（ＲＳＲＱ）、ＳＮＲ、ＢＬＥＲ、ＮＲＳＲＰ、ＮＲＳＲＱ、Ｓ−ＲＳＲＰ、ＲＳ−ＳＩＮＲ、ＣＳＩ−ＲＳＲＰ、システム情報（ＳＩ）の収集、セルグローバルＩＤ（ＣＧＩ）収集、参照信号時間差（ＲＳＴＤ）、ＵＥ  ＲＸ−ＴＸ時間差測定、ＲＴＴ、ＴＯＡ、ＴＤＯＡ、ＡＯＡ、同期外れ（Ｏｕｔ  ｏｆ  Ｓｙｎｃｈｒｏｎｉｚａｔｉｏｎ）（ｏｕｔ  ｏｆ  ｓｙｎｃ）検出および同期（Ｉｎ  Ｓｙｎｃｈｒｏｎｉｚａｔｉｏｎ）（ｉｎ−ｓｙｎｃ）検出からなる無線リンク監視（ＲＬＭ）などである。無線デバイスによって実施されるＣＳＩ測定が、ネットワークによってスケジューリング、リンク適応などのために使用される。ＣＳＩ測定またはＣＳＩ報告の例は、ＣＱＩ、ＰＭＩ、ＲＩなどである。それらは、ＣＲＳ、ＣＳＩ−ＲＳまたはＤＭＲＳのような参照信号に関して実施され得る。
【００２４】
測定は、単方向（たとえば、ＤＬまたはＵＬ）または双方向（たとえば、Ｒｘ−Ｔｘ、ＲＴＴなど、ＵＬおよびＤＬ成分を有する）であり得る。
【００２５】
ＤＬサブフレーム＃０およびサブフレーム＃５は、同期信号（すなわち、ＰＳＳとＳＳＳの両方）を搬送する。未知のセル（たとえば、新しいネイバーセル）を識別するために、無線デバイスは、そのセルのタイミングを、最終的に物理セルＩＤ（ＰＣＩ）を収集する。これは、セル探索またはセル識別、さらにはセル検出と呼ばれる。その後、無線デバイスは、無線デバイス自体を使用するために、および／またはネットワークノードに測定を報告するために、新たに識別されたセルのＲＳＲＰおよび／またはＲＳＲＱをも測定する。合計、５０４個のＰＣＩがある。セル探索も、測定のタイプである。
【００２６】
測定は、すべてのＲＲＣ状態において、すなわち、ＲＲＣアイドル状態およびＲＲＣ接続状態において行われる。
【００２７】
無線デバイスによって実施される上記の測定のいずれかが、無線デバイスによって別のノード、たとえば、ネットワークノード、別の無線デバイスなどに報告され得る。
【発明の概要】
【００２８】
無線通信システムにおける測定を報告するための現在のソリューションによれば、現在の要件が適用された場合、特に、無線デバイスが拡張カバレッジの下で動作している場合、サービングセルに送信された測定結果がネットワークノード（たとえば、サービングネットワークノード）において正常に受信されないことがある。これは、測定結果を含んでいるチャネルのアップリンク受信品質が、必要とされるレベルを下回り得、サービングネットワークノードの受信機における復号失敗をもたらし得るからである。さらに、アップリンクおよびダウンリンクの電力レベルならびに／または無線状態が異なり得る。言い換えれば、特に拡張カバレッジの下での現在の報告機構が、信頼できず、無線デバイスが報告した測定結果に依拠するプロシージャの障害をもたらすことになる。そのようなプロシージャの例は、スケジューリング電力制御、モビリティ、ＳＯＮ、ＭＤＴ、測位、ネットワークプランニングなどである。
【００２９】
本明細書で開示される実施形態は、測定結果が取得される測定および／またはイベントのタイプに応じて、測定結果を搬送する信号の繰返し数を適応させることによって、測定結果のアップリンク送信の成功を改善する。繰返し数は、たとえば、ネットワークノードに対する無線デバイスのカバレッジ拡張（ＣＥ）レベル、あらかじめ規定されたルール、および／または過去に使用された１つまたは複数の履歴繰返し値を含む、様々な他のファクタにも依存し得る。有利なことに、（ＲＳＲＰ／ＲＳＲＱ／ＮＲＳＲＰ／ＮＲＳＲＱなどの）測定結果が、ネットワークノードにおいておよび適時に正しく受信され得、それにより、そのような測定結果に依拠するプロシージャの有効性および効率を改善する。
【００３０】
それに応じて、一態様では、無線通信ネットワークにおいて無線デバイスからネットワークノードに測定を報告するための方法が提供される。本方法は、少なくとも１つの測定を実施するために少なくとも１つの測定設定を取得することと、アップリンク送信設定を取得することとを含む。アップリンク送信設定は、ネットワークノードに少なくとも１つの測定結果を報告するために無線デバイスによって使用されるべきアップリンク信号の繰返しレベルに関連する少なくとも１つのパラメータを含む。その上、アップリンク信号の繰返しレベルは、少なくとも１つの測定が実施される測定および／またはイベントのタイプに少なくとも部分的に依存する。本方法は、少なくとも１つの測定結果を取得するために、少なくとも１つの測定を実施することと、取得されたＵＬ送信設定を適用することによって、ネットワークノードに少なくとも１つの測定結果を報告することとをさらに含む。
【００３１】
いくつかの実施形態では、アップリンク信号の繰返しレベルは、さらに、ダウンリンク信号の繰返しレベル、別のネットワークノードから受信された情報、ネットワークノードに対する無線デバイスのカバレッジ拡張（ＣＥ）レベル、あらかじめ規定されたルール、および／または過去に使用された１つまたは複数の履歴繰返し値のうちの１つまたは複数に少なくとも部分的に依存する。
【００３２】
いくつかの実施形態では、本方法は、ネットワークノードから、少なくとも１つの測定結果に依拠するプロシージャを実装するための命令を受信することをも含む。
【００３３】
別の態様では、上記の実施形態のうちのいずれかの方法を行うことを設定するための無線デバイスが提供される。無線デバイスは、機能ユニットまたはモジュールとして具現され得、各々が、方法の機能に対応する。無線デバイスは、方法を実装するトランシーバ、処理回路要素、およびメモリなど、様々な構成要素をも含み得る。
【００３４】
別の態様では、無線通信ネットワークにおいて無線デバイスからネットワークノードに測定を報告するために無線デバイスを設定するための方法が提供される。本方法は、無線デバイスが、少なくとも１つの測定を実施するように設定されているのか、実施するように設定されるべきであるのかに関する情報を取得することを含む。本方法は、無線デバイスが、少なくとも１つの測定を実施するように設定されているのか、実施するように設定されるべきであるのかに関する取得された情報に基づいて、無線デバイスのためのアップリンク（ＵＬ）送信設定を決定することをさらに含む。ＵＬ送信設定は、ネットワークノードに少なくとも１つの測定結果を報告するために無線デバイスによって使用されるべきアップリンク信号の繰返しレベルに関連する少なくとも１つのパラメータを含む。その上、アップリンク信号の繰返しレベルは、少なくとも１つの測定が実施される測定および／またはイベントのタイプに少なくとも部分的に依存する。本方法は、決定されたＵＬ送信設定を伴って無線デバイスを設定することをさらに含む。
【００３５】
いくつかの実施形態では、測定および／またはイベントのタイプは、周期報告型またはイベントトリガ型のいずれかであり、アップリンク信号が、イベントトリガ型測定を報告するために使用されるとき、繰返しレベルは、アップリンク信号が周期的測定を報告するために使用されるときよりも高い。
【００３６】
いくつかの実施形態では、本方法は、少なくとも１つの測定結果を受信することと、プロシージャを実装するために少なくとも１つの測定結果を使用することとをも含む。プロシージャは、無線デバイスによって実装される部分を含み得、したがって、本方法は、プロシージャの無線デバイス部分を実装するようにとの命令を無線デバイスに送ることをも含み得る。
【００３７】
別の態様では、上記のネットワークノードの方法の実施形態のうちのいずれかの方法を行うことを設定するためのネットワークノードが提供される。ネットワークノードは、機能ユニットまたはモジュールとして具現され得、各々が、方法の機能に対応する。ネットワークノードは、方法を実装するトランシーバ、処理回路要素、およびメモリなど、様々な構成要素をも含み得る。
【００３８】
本明細書の実施形態は、対応するコンピュータプログラム、キャリア、およびコンピュータプログラム製品をも含む。
【００３９】
図面は、開示される主題の選択された実施形態を例示する。図面において、同様の参照ラベルは同様の特徴を意味する。
【図面の簡単な説明】
【００４０】
【図１】開示される主題の一実施形態による、通信システムを例示する図である。
【図２】開示される主題の一実施形態による、無線通信デバイスを例示する図である。
【図３】開示される主題の一実施形態による、ネットワークノードを例示する図である。
【図４】無線デバイスの例示的な動作方法のフローチャートを例示する図である。
【図５】開示される主題の別の実施形態による、無線通信デバイスを例示する図である。
【図６】ネットワークノードの例示的な動作方法のフローチャートを例示する図である。
【図７】開示される主題の別の実施形態による、ネットワークノードを例示する図である。
【発明を実施するための形態】
【００４１】
以下の説明は、開示される主題の様々な実施形態を提示する。これらの実施形態は、教示例として提示され、開示される主題の範囲を限定するものと解釈されるべきではない。たとえば、説明される実施形態のいくらかの詳細は、開示される主題の範囲から逸脱することなく、変更、省略、または拡大され得る。
Ｉ．動作シナリオの概略的な説明
【００４２】
いくつかの実施形態では、ＵＥまたは無線デバイスという非限定的な用語が互換的に使用される。本明細書のＵＥは、無線信号を介してネットワークノードまたは別のＵＥと通信することが可能な任意のタイプの無線デバイスであり得る。ＵＥはまた、無線通信デバイス、ターゲットデバイス、デバイスツーデバイス（Ｄ２Ｄ）ＵＥ、マシン型ＵＥまたはマシンツーマシン通信（Ｍ２Ｍ）が可能なＵＥ、低コストおよび／または低複雑度ＵＥ、ＵＥを装備したセンサー、タブレット、モバイル端末、スマートフォン、ラップトップ組込み装備（ＬＥＥ：ｌａｐｔｏｐ  ｅｍｂｅｄｄｅｄ  ｅｑｕｉｐｐｅｄ）、ラップトップ搭載機器（ＬＭＥ：ｌａｐｔｏｐ  ｍｏｕｎｔｅｄ  ｅｑｕｉｐｍｅｎｔ）、ＵＳＢドングル、顧客構内機器（ＣＰＥ）などであり得る。
【００４３】
また、いくつかの実施形態では、「無線ネットワークノード」という一般用語が使用される。無線ネットワークノードは、基地局、無線基地局、基地トランシーバ局、基地局コントローラ、ネットワークコントローラ、ＲＮＣ、エボルブドノードＢ（ｅＮＢ）、ノードＢ、マルチセル／マルチキャスト協調エンティティ（ＭＣＥ）、リレーノード、アクセスポイント、無線アクセスポイント、リモートラジオユニット（ＲＲＵ）、リモート無線ヘッド（ＲＲＨ）のいずれかを備え得る、任意の種類の無線ネットワークノードであり得る。
【００４４】
いくつかの実施形態では、ＵＥは、ＰＣｅｌｌおよびＰＳＣｅｌｌを伴って、あるいはデュアルコネクティビティおよび／またはキャリアアグリゲーションにおいてなど、ＰＣｅｌｌ、ＰＳＣｅｌｌおよび１つまたは複数のＳＣｅｌｌを伴って設定され得る。設定されたセルは、ＵＥ固有であり、別名、ＵＥのサービングセルである。
【００４５】
ＵＥは、すでにＵＥによって識別されたサービングセルによってサーブされる。ＵＥは、さらに、ターゲットセルまたはネイバーセルと呼ばれることがある、少なくとも１つの別のセルを識別する。いくつかの実施形態では、サービングセルおよびネイバーセルは、それぞれ、第１のネットワークノードおよび第２のネットワークノードによってサーブまたは管理される。いくつかの実施形態では、サービングセルおよびネイバーセルは、同じネットワークノード、たとえば、第１のネットワークノードによってサーブまたは管理される。
【００４６】
実施形態は、低アクティビティ状態または高アクティビティ状態におけるＵＥに適用可能である。低アクティビティ状態の例は、ＲＲＣアイドル状態、アイドルモードなどである。低アクティビティ状態の例は、ＲＲＣ接続状態、アクティブモード、アクティブ状態などである。ＵＥは、ＤＲＸにおいてまたは非ＤＲＸにおいて動作するように設定され得る。ＤＲＸにおいて動作するように設定された場合、ＵＥは、ＵＥがネットワークノードから新しい送信を受信する限り、依然として非ＤＲＸに従って動作し得る。
【００４７】
ＵＥは、そのＵＥのサービングセルに対する通常カバレッジまたは拡張カバレッジのいずれかの下で動作し得る。拡張カバレッジは、互換的に拡大カバレッジとも呼ばれる。ＵＥは、複数のカバレッジレベル（ＣＥ）、たとえば、通常カバレッジ（別名、ＣＥレベル０）、拡張カバレッジレベル１（ＣＥ１）、拡張カバレッジレベル２（ＣＥ２）、拡張カバレッジレベル３（ＣＥ３）などにおいても動作し得る。少なくとも２つのカバレッジレベルの下での動作をサポートするＵＥは、たとえば、セル、たとえば、一度に、サービングセルに対する通常カバレッジまたは拡張カバレッジのいずれかの下で動作し得る。
【００４８】
通常カバレッジおよび拡大カバレッジ動作は、一般に、システム帯域幅、別名、セルＢＷ、セル送信ＢＷ、ＤＬシステムＢＷなどと比較して、より狭いＵＥ  ＲＦ帯域幅上で行われ得る。いくつかの実施形態では、ＵＥ  ＲＦ  ＢＷは、システム帯域幅のものと同じであり得る。狭いＲＦ  ＢＷの例は、２００ＫＨｚ、１．４ＭＨｚなどである。システムＢＷの例は、２００ＫＨｚ、１．４ＭＨｚ、３ＭＨｚ、５ＭＨｚ、１０ＭＨｚ、１５ＭＨｚ、２０ＭＨｚなどである。拡大／拡張カバレッジの場合、ＵＥは、レガシーシステムにおいて動作するときのＵＥの能力と比較して、より低い信号品質レベル（たとえば、ＳＮＲ、ＳＩＮＲ、サブキャリア当たりの平均受信信号エネルギー対サブキャリア当たりの総受信電力の比（Ｅｓ／Ｉｏｔ）、ＲＳＲＱなど）の下で動作することが可能であり得る。カバレッジレベル拡張は、動作シナリオとともに変動し得、ＵＥタイプにも依存し得る。たとえば、不良なカバレッジをもつ地階中にあるＵＥは、セル境界におけるＵＥ（たとえば−３ｄＢ）と比較して、より大きなレベルのカバレッジ拡張（たとえば２０ｄＢ）を必要とし得る。
【００４９】
ＵＥのカバレッジレベルは、任意のセル、たとえば、サービングセル、非サービングセル、ネイバーセルなどに対して規定され得る。カバレッジレベルは、互換的にカバレッジ拡張（ＣＥ）レベルとも呼ばれる。たとえば、セルに対するＣＥレベルは、そのセルからＵＥにおいて受信される信号レベルに関して表され得る。代替的に、セルに対するＵＥのＣＥレベルは、ＵＥからセルにおいて受信される信号レベルに関して表され得る。一例として、受信された信号レベルは、セルに対するＵＥにおける受信信号品質および／または受信信号強度に関して表され得る。より詳細には、カバレッジレベルは、
−  セルに対するＵＥにおける受信信号品質および／または受信信号強度ならびに／あるいは
−  ＵＥに対するセルにおける受信信号品質および／または受信信号強度
に関して表され得る。
【００５０】
信号品質の例は、ＳＮＲ、ＳＩＮＲ、ＣＱＩ、ＲＳＲＱ、ＮＲＳＲＱ、ＣＲＳ  Ｅｓ／Ｉｏｔ、ＳＣＨ  Ｅｓ／Ｉｏｔなどである。信号強度の例は、経路損失、経路利得、ＲＳＲＰ、ＮＲＳＲＰ、ＳＣＨ＿ＲＰなどである。
【００５１】
表記Ｅｓ／Ｉｏｔは、
−  ＵＥアンテナコネクタにおける、シンボルの有用な部分中の、すなわち、サイクリックプレフィックスを除く、ＲＥ当たりの受信エネルギー（サブキャリア間隔に対して正規化された電力）であるＥｓ、対
−  ＵＥアンテナコネクタにおいて測定されたあるＲＥのための総雑音および干渉の受信電力スペクトル密度（ＲＥにわたって積算され、サブキャリア間隔に対して正規化された電力）であるＩｏｔ
の比として規定される。
【００５２】
ＣＥレベルは、２つまたはそれ以上の離散レベルまたは値、たとえば、ＣＥレベル１、ＣＥレベル２、ＣＥレベル３などに関しても表される。以下を備える、ＵＥにおける信号品質（たとえば、ＳＮＲ）に対して規定された２つのカバレッジレベルの一例について考える。
−  セルに対するＵＥにおけるＳＮＲ≧−６ｄＢを含むカバレッジ拡張レベル１（ＣＥ１）、および
−  セルに対するＵＥにおける−１５ｄＢ≦ＳＮＲ＜−６ｄＢを含むカバレッジ拡張レベル２（ＣＥ２）。
【００５３】
上記の例では、ＣＥ１は、互換的に通常カバレッジレベル、ベースラインカバレッジレベル、参照カバレッジレベル、レガシーカバレッジレベルなどと呼ばれることもある。一方、ＣＥ２は、拡張カバレッジまたは拡大カバレッジレベルと呼ばれることがある。
【００５４】
別の例では、２つの異なるカバレッジレベル（たとえば、通常カバレッジおよび拡張カバレッジ）が、以下のように、信号品質レベルに関して規定され得る。
−  通常カバレッジのための要件は、あるセルに対するＵＥの無線状態が、ＳＣＨ  Ｅｓ／Ｉｏｔ≧−６ｄＢおよびＣＲＳ  Ｅｓ／Ｉｏｔ≧−６のように規定されるという条件で、そのセルに対してＵＥカテゴリーＮＢ１について適用可能である。
−  拡張カバレッジのための要件は、あるセルに対するＵＥの無線状態が、ＳＣＨ  Ｅｓ／Ｉｏｔ≧−１５ｄＢおよびＣＲＳ  Ｅｓ／Ｉｏｔ≧−１５のように規定されるという条件で、そのセルに対してＵＥカテゴリーＮＢ１について適用可能である。
【００５５】
また、セルに対するＵＥのカバレッジレベルを規定するパラメータが、ネットワークノードによってＵＥにシグナリングされ得る。そのようなパラメータの例は、ＵＥカテゴリーＭ１にシグナリングされるＣＥＭｏｄｅＡおよびＣＥＭｏｄｅＢであり、たとえば、
−  ＵＥカテゴリーＭ１が、ＣＥＭｏｄｅ  Ａ、ＳＣＨ  Ｅｓ／Ｉｏｔ≧−６ｄＢおよびＣＲＳ  Ｅｓ／Ｉｏｔ≧−６ｄＢを伴って設定されるという条件で、ＣＥＭｏｄｅ  Ａのための要件が適用され、ならびに
−  ＵＥカテゴリーＭ１が、ＣＥＭｏｄｅ  Ｂ、ＳＣＨ  Ｅｓ／Ｉｏｔ≧−１５ｄＢおよびＣＲＳ  Ｅｓ／Ｉｏｔ≧−１５ｄＢを伴って設定されるという条件で、ＣＥＭｏｄｅ  Ｂのための要件が適用されるものとする。
【００５６】
上記の例では、Ｅｓ／Ｉｏｔは、サブキャリア当たりの受信電力対サブキャリア当たりの雑音を含む総干渉の比である。
【００５７】
説明される実施形態は、任意の好適な通信規格をサポートし、任意の好適な構成要素を使用する任意の適切なタイプの通信システムにおいて実装され得る。一例として、いくらかの実施形態は、図１に例示されているものなど、ＬＴＥネットワークまたはＮＲネットワークにおいて実装され得る。
【００５８】
図１を参照すると、通信ネットワーク１００が、複数の無線デバイス１０５と、複数の無線アクセスノード１１０とを備える。通信ネットワーク１００は、対応する無線アクセスノード１１０を介してコアネットワーク１２０に接続されるセル１１５に編成される。無線アクセスノード１１０は、無線通信デバイス間の、または無線通信デバイスと（固定電話などの）別の通信デバイスとの間の通信をサポートすることに適した追加のエレメントとともに、無線通信デバイス１０５と通信することが可能である。
【００５９】
無線デバイス１０５は、ハードウェアおよび／またはソフトウェアの任意の好適な組合せを含む通信デバイスを表し得るが、これらの無線デバイスは、いくらかの実施形態では、図２によってより詳細に例示されている例示的な無線デバイス１０５など、デバイスを表し得る。同様に、例示されている無線アクセスノードは、ハードウェアおよび／またはソフトウェアの任意の好適な組合せを含むネットワークノードを表し得るが、これらのノードは、特定の実施形態では、図３によってより詳細に例示されている例示的な無線アクセスノード１１０など、デバイスを表し得る。
【００６０】
図２を参照すると、無線デバイス２００が、処理回路要素２０５と、メモリ２１０と、トランシーバ回路要素２１５と、アンテナ２２０とを備える。いくらかの実施形態では、ＵＥ、ＭＴＣまたはＭ２Ｍデバイス、および／あるいは他のタイプの無線通信デバイスによって与えられるものとして説明される機能性の一部または全部は、図２に示されているメモリなど、コンピュータ可読媒体に記憶された命令を実行するデバイスプロセッサによって与えられ得る。代替実施形態は、本明細書で説明される機能性のいずれかを含むデバイスの機能性のいくらかの態様を与えることを担当し得る、図２に示されている構成要素以外の追加の構成要素を含み得る。
【００６１】
図３を参照すると、無線アクセスノード３００が、ノード処理回路要素３０５と、メモリ３１０と、ネットワークインターフェース３１５と、トランシーバ回路要素３２０と、アンテナ３２５とを備える。いくらかの実施形態では、基地局、ノードＢ、ｅノードＢ、ｇノードＢ、および／または他のタイプのネットワークノードによって与えられるものとして説明される機能性の一部または全部は、図３に示されているメモリ３１０など、コンピュータ可読媒体に記憶された命令を実行するノードプロセッサ３０５によって与えられ得る。無線アクセスノード３００の代替実施形態は、本明細書で説明される機能性および／または関係するサポート機能性など、追加の機能性を与えるための追加の構成要素を備え得る。
【００６２】
図４は、無線デバイス（たとえば、無線デバイス１０５）を動作させる方法４００を例示するフローチャートである。特に、方法４００は、ネットワーク１００など、無線通信ネットワークにおいて無線デバイスからネットワークノードに測定を報告する方法である。方法４００は、無線デバイスが、少なくとも１つの測定を実施するために少なくとも１つの測定設定を取得する、ステップＳ４０５を含む。方法４００は、アップリンク（ＵＬ）送信設定を取得するステップＳ４１０をさらに含み、アップリンク送信設定は、ネットワークノードに少なくとも１つの測定結果を報告するために無線デバイスによって使用されるべきアップリンク信号の繰返しレベルに関連する少なくとも１つのパラメータを備える。一実施形態では、アップリンク信号の繰返しレベルは、少なくとも１つの測定が実施される測定および／またはイベントのタイプに少なくとも部分的に依存する。方法４００は、少なくとも１つの測定結果を取得するために、少なくとも１つの測定を実施するステップＳ４１５をも含む。方法４００は、ステップＳ４２０をさらに含み、それにより、少なくとも１つの測定結果は、取得されたＵＬ送信設定を適用することによってネットワークノードに報告される。一実施形態では、本方法は、ネットワークノードから、プロシージャを実装するための命令を受信するステップＳ４２５を随意に含み、プロシージャは、少なくとも１つの測定結果に依拠する。
【００６３】
方法４００は、図示されていない追加のステップをも含み得る。たとえば、方法４００は、ネットワークノードに対する無線デバイスのカバレッジ拡張レベル、ダウンリンク信号の繰返しレベル、および／または過去に使用された１つまたは複数の履歴繰返し値を取得するステップをさらに含み得る。方法４００は、別のネットワークノードから情報を受信するステップおよび／またはあらかじめ規定されたルールを参照するステップをも含み得る。受信された情報および／または決定された情報は、少なくとも１つの測定結果を報告するために使用されるべきアップリンク信号の繰返しレベルに影響を及ぼすかまたは作用し得る。コンテキストのために方法４００のステップのより詳細な説明が以下で与えられる。
【００６４】
ステップ４０５において、無線デバイスは、少なくとも１つの測定を実施するために少なくとも１つの測定設定を取得する。少なくとも１つの測定は、１つまたは複数の対応するセルからの１つまたは複数の信号に関する測定を含み得る。無線デバイスは、ノードに１つまたは複数の測定の結果を報告するようにさらに設定され得る。そのようなノードの例は、たとえば、ネットワークノード、または直接ＵＥ間動作（たとえばＤ２Ｄ、Ｖ２Ｖ動作など）が可能な別の無線デバイスを含む。無線デバイスはまた、ノードに測定結果を送信するために使用されるべき特定の（１つまたは複数の）報告機構を伴って設定され得る。報告機構の例は、周期報告、イベントトリガ型報告、イベントトリガ型周期報告、ワンショット報告などである。ワンショット報告は、無線デバイスに報告を送る１つのインスタンスをもつ周期報告の特殊な事例と見なされることもある。
【００６５】
イベントトリガ型報告（またはイベントトリガ型周期報告）は、イベントのトリガリングに応答して無線デバイスによって実施され得る。そのようなイベントの例は、以下の通りである。
−  イベントＡ１。サービングセルが、絶対しきい値よりも良くなる。
−  イベントＡ２。サービングセルが、絶対しきい値よりも悪くなる。
−  イベントＡ３。ネイバーセルが、サービングセルに対するオフセットよりも良くなる。
−  イベントＡ４。ネイバーセルが、絶対しきい値よりも良くなる。
−  イベントＡ５。サービングセルが、ある絶対しきい値よりも悪くなり、ネイバーセルが、別の絶対しきい値よりも良くなる。
【００６６】
ステップ４１０において、ＵＥは、ノード（たとえば、別のＵＥ、ネットワークノードなど）に測定報告または結果を送信するためにＵＥによって使用されるべき１つまたは複数の繰返しレベルに関係する少なくとも１つのパラメータを備える、アップリンク信号送信設定を取得する。取得された信号送信設定は、セルに対する、たとえば、ＵＥのサービングセルであり得る、第１のセル（ｃｅｌｌ１）に対するＵＥのカバレッジレベルにさらに関連し得る。
【００６７】
ＵＥは、以下の機構のうちの１つまたは複数に基づいて、１つまたは複数の繰返しレベルを含む、アップリンク信号送信設定を取得し得る。
−  あらかじめ規定されたルールまたは要件、たとえば、常に使用されるべき、あるカバレッジ拡張レベルにおけるＵＬ信号（たとえば、ＰＵＳＣＨ、ＰＵＣＣＨ、ＮＰＵＳＣＨなど）の最大の可能な繰返し（たとえば、ＣＥモードＢまたは拡張カバレッジレベルの下でのＰＵＳＣＨの場合、２０４８）、
−  履歴または統計、たとえば、過去に使用された繰返し値の平均、
−  ＵＥによって使用されるＵＬ信号の直近の繰返し値、
−  ネットワークノード（たとえば、サービングｅＮＢ、コアネットワークノード、測位ノードなど）からアップリンク信号送信設定を受信することによって。
【００６８】
上述のように、１つまたは複数の繰返しレベルは、カバレッジ拡張（ＣＥ）レベルに基づいて決定され得る。ＵＥは、ＵＥが測定の結果を報告する先のノード（たとえば、ｃｅｌｌ１）に対するＵＥのＣＥレベルを決定し得る。一般に、ネットワークは、異なるメトリックに基づいて、ＵＥのカバレッジ拡張（ＣＥ）レベルを決定し、異なるメトリックは、以下を含み得る。
−  ＵＥおよび／またはネットワークノード無線測定結果、
−  ＵＥモビリティプロファイル、
−  ＵＥロケーション情報、
−  ＵＥ能力。
【００６９】
繰返しレベルは、制御チャネルにおいてＤＣＩの一部（たとえば、ＤＣＩ−０）として送信されるかまたは示され得る。その場合、ＵＥは、アップリンク信号を送信するためにこの繰返しレベルを適用し得る。このステップにおいて、ＵＥはまた、対応するイベント報告遅延が拡大されるべきであるという指示、または取得されたアップリンク繰返しレベルが≧２である場合に追加の遅延が予想され得るという指示として、この情報を使用し得る。
【００７０】
一例では、ＵＥは、ネットワークノードから受信された指示、たとえば、ＵＥが、ＣＥモードＡ（すなわち、通常カバレッジレベル）を伴って設定されたのか、ＣＥモードＢ（拡張カバレッジレベル）を伴って設定されたのかの指示に基づいて、ネットワークノードに対するＵＥのＣＥレベルを決定し得る。別の例によれば、ＵＥは、たとえば、ｃｅｌｌ１において使用されるＰＲＡＣＨ繰返しの数に基づいて、ランダムアクセスプロシージャ中に、ノードに対するＵＥのＣＥレベルを決定し得る。別の例では、ＵＥは、１つまたは複数の無線測定およびあらかじめ規定されたルールに基づいて、たとえば、ＳＩＮＲ≧−６ｄＢである場合は通常カバレッジにおいて、またはＳＩＮＲ＜−６ｄＢである場合は拡張カバレッジにおいて、ノードに対するＵＥのＣＥレベルを決定し得る。別の例では、ＵＬ繰返しレベルを決定するためのルールおよび原理が、ネットワークノードのための以下で説明されるルールおよび原理と同様であり得る。
【００７１】
ステップＳ４１５において、ＵＥは、少なくとも１つの測定を実施し、これは、ネットワークノードから受信された測定設定（たとえば、測定のタイプ、イベントをトリガするためのしきい値、報告機構など）に従って設定された無線測定（たとえば、イベント）について下位レイヤを監視することを含み得る。ＵＥは、次いで、受信された測定設定に基づいて、１つまたは複数の無線測定をさらに実施する。ＵＥは、さらに、実施された測定の結果を処理し、それらの結果を、１つまたは複数のタスクまたはプロシージャ、たとえば、ステップＳ４２０において説明されるように結果を報告することのために使用し得る。
【００７２】
ステップＳ４２０において、ＵＥは、ノード（たとえば、サービングネットワークノード、コアネットワークノード、測位ノード、別のＵＥなど）に、（ステップＳ４１０において受信された）少なくとも受信されたＵＬ信号送信設定に基づいて、実施された測定の結果（たとえば、トリガされたイベント、周期報告など）を報告する。ＵＥは、報告または送信された結果に関連する対応する報告遅延要件をさらに満たし得る。報告遅延要件は、あらかじめ規定され得る。
【００７３】
現在の要件は、イベントトリガ型測定報告遅延がセル識別遅延（たとえば、Ｔｉｄｅｎｔｉｆｙ  ｉｎｔｒａ＿ＵＥ  ｃａｔ  Ｍ１）よりも小さくなることを可能にする。この遅延は、いかなるＬ３フィルタ処理をも除く。しかしながら、関係するイベントがトリガされたセルが、セル識別遅延（たとえば、Ｔｉｄｅｎｔｉｆｙ  ｉｎｔｒａ＿ＵＥ  ｃａｔ  Ｍ１）に対応する時間期間の間、検出可能であり、次いで、≦５秒の期間の間、検出不可能になる場合、イベントトリガ型測定報告遅延要件は、そのセルのタイミングが、あるしきい値（たとえば、±５０Ｔｓ）よりも多く変化せず、Ｌ３フィルタ処理が使用されないという条件で、Ｌ１測定期間（たとえば、ＴＭｅａｓｕｒｅｍｅｎｔ＿Ｐｅｒｉｏｄ＿ＵＥ  ｃａｔ  Ｍ１，  Ｉｎｔｒａ）として指定される。
【００７４】
わかるように、どちらの場合も、報告遅延は、アップリンクにおける必要とされる繰返し数を考慮しない。開示される方法によれば、ネットワークノードが、報告結果のためのアップリンク信号繰返しレベル≧２を伴ってＵＥを設定する場合、イベント報告の追加の遅延が予想され得る。この追加の遅延は、いかなるタイプギャップをも除く。ギャップは、一般に、周波数間測定を実施することと、異なるキャリア（たとえば、非サービングキャリア）上でセルの周波数同期を取得することとを行うために使用される。いくつかの特定の例では、ギャップは、他の検出可能なＵＥの同期を取得するために使用されることさえある。ギャップのいくつかの例は、測定ギャップおよびＵＥ自律ギャップである。
【００７５】
一例では、ＵＥが、物理チャネル（たとえば、ＰＵＳＣＨ）にわたってマッピングされるＲＲＣメッセージ（たとえば、ＤＣＣＨなど、論理専用制御チャネル）中で測定結果をサービングセル（たとえば、ｃｅｌｌ１）に報告するように設定されると仮定する。さらに、ＵＥが、それぞれ、Ｎ１（たとえば、Ｎ１＝８）およびＮ２（たとえば、Ｎ２＝２５６）の繰返しレベルをもつ通常カバレッジおよび拡張カバレッジにおいて、結果を報告するために設定されると仮定する。一例では、Ｎ１および／またはＮ２の値はあらかじめ規定される。第２の例では、Ｎ１およびＮ２の値は、ネットワークノードによってＵＥにおいて設定される。第３の例では、Ｎ１およびＮ２の値は、ＵＥによって自律的に決定される。ＵＥが、サービングセルに対する拡張カバレッジレベルにある場合、ＵＥは、Ｎ２（すなわち、２５６）個のＵＬ連続サブフレームを含む遅延不確実性にわたってまたは制御チャネルの２５６個のＵＬ連続ＴＴＩ（たとえば、ＦＤＤまたはＨＤ−ＦＤＤのためのＤＣＣＨの２５６＊ＴＴＩ）にわたって、ＰＵＳＣＨを使用してサービングセルに結果を報告することになる。ＴＤＤの場合、ｃｅｌｌ１に結果を送信することについての遅延不確実性は、Ｎ２（すなわち、２５６）個のＵＬ連続サブフレームまたは制御チャネルのＴＴＩ（すなわち、ＤＣＣＨ  ＴＴＩ）を含み得る。この場合（すなわち、ＴＤＤ）、実際の遅延は、ｃｅｌｌ１において使用されるＴＤＤ設定に依存することになる。ＤＣＣＨ  ＴＴＩの例示的な値は、１ｍｓである。
【００７６】
図５は、一実施形態による、無線デバイスまたはＵＥ５００の機能ブロック図を例示する図である。ＵＥ５００は、方法４００のステップＳ４０５の機能を行うように適応された、測定設定取得モジュール５０５と、ステップＳ４１０の機能を行うように適応された、送信設定取得モジュール５１０と、ステップＳ４１５の機能を行うように適応された、測定実施モジュール５１５と、ステップＳ４２０の機能を行うように適応された、測定報告モジュール５２０と、随意に、ステップＳ４２５の機能を行うように適応された、プロシージャ命令受信モジュール５２５とを含む。
【００７７】
図６は、無線通信ネットワークにおいて無線デバイスからネットワークノード（たとえば、無線アクセスノード１１０）に測定を報告するために無線デバイスを設定する方法を例示するフローチャートである。方法６００は、無線デバイスが、少なくとも１つの測定を実施するように設定されているのか、実施するように設定されるべきであるのかに関する情報が、たとえば、ネットワークノードによって取得されるステップ６０５を含む。方法６００は、無線デバイスが、少なくとも１つの測定を実施するように設定されているのか、実施するように設定されるべきであるのかに関する取得された情報に基づいて、無線デバイスのためのアップリンク（ＵＬ）送信設定をネットワークノードが決定する、ステップＳ６１０をさらに含む。アップリンク送信設定は、ネットワークノードに少なくとも１つの測定結果を報告するために無線デバイスによって使用されるべきアップリンク信号の繰返しレベルに関連する少なくとも１つのパラメータを備える。一実施形態では、アップリンク信号の繰返しレベルは、少なくとも１つの測定が実施される測定および／またはイベントのタイプに少なくとも部分的に依存する。方法６００は、決定されたＵＬ送信設定が無線デバイスを設定するために使用されるステップＳ６１５をも含む。
【００７８】
一実施形態では、方法６００は、無線デバイスから、物理アップリンク共有チャネル（ＰＵＳＣＨ）上にマッピングされた無線リソース制御（ＲＲＣ）メッセージを受信するステップＳ６２０を随意に含み、ＲＲＣメッセージは、少なくとも１つの測定結果を含む。方法６００は、少なくとも１つの測定結果がプロシージャを実装するために使用されるステップＳ６２５をさらに含み得る。プロシージャは、無線デバイスによって実装されるべき部分を含み得、このため、ステップＳ６２５は、プロシージャの無線デバイス部分を実装するようにとの命令を無線デバイスに送ることを含み得る。そのようなプロシージャの例は、スケジューリング電力制御、モビリティ、ＳＯＮ、ＭＤＴ、測位、ネットワークプランニングなどを含む。
【００７９】
方法６００は、図示されていない追加のステップをも含み得る。たとえば、方法６００は、ネットワークノードに対する無線デバイスのカバレッジ拡張レベル、ダウンリンク信号の繰返しレベル、および／または過去に使用された１つまたは複数の履歴繰返し値を決定するステップをさらに含み得る。方法４００は、別のネットワークノードから情報を受信するステップおよび／またはあらかじめ規定されたルールを参照するステップをも含み得る。受信された情報および／または決定された情報は、少なくとも１つの測定結果を報告するために使用されるべきアップリンク信号の繰返しレベルに影響を及ぼすかまたは作用し得る。コンテキストのために方法６００のステップのより詳細な説明が以下で与えられる。
【００８０】
ステップＳ６０５において、ネットワークノードは、無線デバイスまたはＵＥが、１つまたは複数のセル上で１つまたは複数の無線測定を実施するように設定されたかどうかに関する情報を取得する。ネットワークノードは、以下の機構のうちの１つまたは複数に基づいて、
−  ネットワークノードによって無線デバイスに送られた測定設定に基づいて、
−  別のノード、たとえば、別のネットワークノードおよび／または無線デバイスから受信された情報に基づいて、
−  無線デバイスから受信された前に測定結果に基づいて、
−  無線デバイスから受信された指示に基づいて、
−  あらかじめ規定されたルールまたは情報、たとえば、無線デバイスは、セッションの開始時に少なくともある最小数の無線測定を伴って設定される、を使用して、
そのような情報ノードを取得し得る。
【００８１】
ステップＳ６１０において、ネットワークノードは、別のノードに１つまたは複数の無線測定の結果を報告するためにＵＥによって使用されるべきアップリンク信号送信設定を決定するために、ステップＳ６０５において取得または決定された情報を使用する。そのようなノードの例は、ネットワークノード自体を含み得、ネットワークノードは、サービングセル（ｃｅｌｌ１）、コアネットワークノード、測位ノードなどであり得るか、または直接Ｄ２Ｄ動作が可能な別のＵＥなどであり得る。
【００８２】
測定報告（たとえば、周期報告、イベント報告など）がネットワークノードによってＵＥのために設定されなかったことを、Ｓ６０５における取得された情報が示す場合、一例では、この方法はスキップされ得る。しかしながら、そのような場合、一実施形態によれば、ネットワークノードは、ＵＥが将来の時間において結果を報告することを可能にするために、あるデフォルトアップリンク信号送信設定を依然として決定し得る。
【００８３】
アップリンク信号送信設定は、ＵＥが無線測定の結果を送信するべきであるアップリンク信号のある数の繰返しに関連する少なくとも１つのパラメータを備え得る。本明細書での繰返しは、たとえば、前記ＵＥが、第１の信号（あるいは、トリガされたイベントおよび／または周期報告および／またはイベントトリガ型周期報告などを備える、信号の初期バージョンまたはその信号のオリジナルバージョン）を送信し、少なくとも第２の信号をも送信することを意味し、ここで、第２の信号は、第１の信号の同一のコピーである。本明細書での繰返し数は、イベント報告を備える信号の第１のまたは初期の送信のコピーまたは後続のコピーの数を意味する。同じ信号の繰返しが、時間領域および／または周波数領域の両方において実施され得る。アップリンク信号の例は、ＰＵＣＣＨ、ＰＵＳＣＨ、ＮＰＵＳＣＨなどを含む。たとえば、信号繰返しパラメータは、ＵＥが、無線測定の結果を搬送する信号を送信することができる繰返しの最大数、たとえば、その結果を送信するためのＰＵＳＣＨ繰返しの最大数を備え得る。信号繰返しパラメータは、さらに、ＵＥのカバレッジ拡張レベルに関連し得、たとえば、８および２５６のＰＵＳＣＨ繰返しが、それぞれ、通常カバレッジおよび拡張カバレッジにおいてＵＥのために設定され得る。
【００８４】
測定結果（たとえばトリガされたイベント）を送信するために使用されるべきである信号送信設定に関する情報は、ネットワークノードに知られているか、あらかじめ規定されるか、またはあらかじめ規定されたルールに基づいて決定され得る。たとえば、イベントを報告するために使用されるアップリンクデータチャネル（たとえば、ＰＵＳＣＨ、ＮＰＵＳＣＨ）のために使用される繰返し数は、ＵＥの異なるカバレッジレベルのためにあらかじめ規定され得る。
【００８５】
別の例では、結果（たとえば、イベント）を報告するために使用されるべき異なる繰返し数は、決定されたカバレッジレベルおよび／またはＤＬ信号／チャネルの繰返し数に応じて（たとえば、仕様において）指定され得る。
【００８６】
また別の例では、サービングネットワークノードは、ネットワークにおける第２のノード（たとえば、ネイバーノード、ＵＥ、コアネットワークノードまたは任意の他のＳＯＮタイプのノード）から、異なるカバレッジレベルのために使用するための繰返しレベルに関する情報を取得し得る。
【００８７】
また別の例では、ＵＥにシグナリングされる信号送信設定は、ＵＥにおいて設定された異なるタイプの測定および／またはイベントに依存し得る。たとえば、いくつかのイベントは、周期報告のために設定され得、他のイベントは、イベントトリガ型報告のために設定される。イベントトリガ型報告は１回のみ報告され、それゆえ、ネットワークノードにおけるそれらの正常な受信が重要であるので、イベントトリガ型報告のためにより高い繰返し数を設定することが適切であり得る。しかしながら、周期報告のために設定されたイベントは、それらのイベントが、いずれにせよ周期的に送信されることになり、したがって、同じまたは同様の情報が受信ネットワークノードにおいて後の時点において受信され得るので、より少ない繰返し数を伴って設定され得る。周期イベント報告を伴特定の一例では、信号送信設定は、報告周期性にも依存し得る。繰返しレベルは、報告周期性の増加とともに減少し得る。
【００８８】
また別の例では、ＵＬにおける繰返しレベルは、第１の状態が満たされる場合、ＤＬと同じであり得、他の場合、または第２の状態が満たされる場合、ＤＬとは異なり得る。
【００８９】
また別の例では、測定結果を報告するために使用される信号送信設定は、測定結果の重要性レベル（ｓｉｇｎｉｆｉｃａｎｃｅ  ｌｅｖｅｌ）、重要度レベル（ｉｍｐｏｒｔａｎｃｅ  ｌｅｖｅｌ）、重大度レベル（ｃｒｉｔｉｃａｌｉｔｙ  ｌｅｖｅｌ）、または優先度レベル（ｐｒｉｏｒｉｔｙ  ｌｅｖｅｌ）に基づいて異なる。たとえば、より多数のＵＬ繰返しが、より重大または重要である測定のために使用される。たとえば、測位測定が、モビリティのために実施される測定と比較してより重大であると見なされ得る。別の例では、ＣＳＩ測定（すなわち、スケジューリング、電力制御などのために使用される）が、モビリティのために実施される測定と比較して、また測位測定と比較して、より重大であると見なされ得る。
【００９０】
異なるタイプのイベント報告のために必要とされる繰返し数（Ｋ）を備えるＵＬ送信設定の２つの異なる例が、以下で表１および表２に示されている。
0006805356.tif 000005
0006805356.tif 000006
【００９１】
上記の例１および例２に示されているように、１つまたは複数の繰返しレベルは、カバレッジ拡張（ＣＥ）レベルに基づいて決定され得る。ＵＥは、ＵＥが測定の結果を報告する先のノード（たとえば、ｃｅｌｌ１）に対するＵＥのＣＥレベルを決定し得る。しかしながら、一般に、ネットワークが、異なるメトリックに基づいて、ＵＥのカバレッジ拡張（ＣＥ）レベルを決定し、異なるメトリックは、以下を含み得る。
−  ＵＥおよび／またはＢＳ無線測定結果、
−  ＵＥモビリティプロファイル、
−  ＵＥロケーション情報、
−  ＵＥ能力。
【００９２】
たとえば、ネットワークノードは、ｃｅｌｌ１（たとえば、サービングセル）に対する、ＲＳＲＰおよび／またはＲＳＲＱおよび／またはＳＩＮＲまたはＳＮＲなど、ＵＥ無線測定を取得し、ネットワークノードに関連するターゲットエリアにおけるそのカバレッジを決定し得る。
【００９３】
別の例では、ネットワークノードは、ｃｅｌｌ２（たとえば、ネイバーセル）に対する、ＲＳＲＰおよび／またはＲＳＲＱおよび／またはＳＩＮＲまたはＳＮＲなど、ＵＥ無線測定を取得し、ネットワークノードに関連するターゲットエリアにおけるそのカバレッジを決定し得る。ｃｅｌｌ１とｃｅｌｌ２とは、同じネットワークノードまたは異なるネットワークノードによってサーブされ得る。
【００９４】
ネットワークノードは、たとえば、ＵＬ  ＳＩＮＲ、ＵＬ信号強度などを含む、カバレッジレベルを決定するために、ＵＥによって送信される信号に関する１つまたは複数の無線測定を実施し得る。ネットワークノードはまた、サービングセルに対する、および／または少なくとも１つのネイバーセル、たとえば、ｃｅｌｌ２に対するＵＥカバレッジレベルをより正確に決定するために、ＵＥ測定と、ネットワークノードによって実施されるＵＬ測定とを組み合わせ得る。
【００９５】
ネットワークノードはまた、エリアにおけるＵＥカバレッジを決定するために、ＵＥモビリティプロファイルを観測し得る。ＵＥモビリティプロファイルは、ドップラースピードなど、ＵＥスピードまたは速度、ＵＥ移動方向、ＵＥ加速度、ＵＥ軌道などのうちの１つまたは複数によって特徴づけられる。たとえば、ＵＥの動きの方向およびスピードに基づいて、ネットワークノードは、将来におけるある時間におけるＵＥカバレッジを予測し得る。ネットワークノードは、ＵＥのＵＬ信号を測定することによって、ＵＥモビリティプロファイルを決定し得る。
【００９６】
ネットワークノードはまた、エリアにおけるＵＥカバレッジを決定するために、ＵＥロケーション情報を取得し、この情報を使用し得る。ＵＥのロケーションは、ＧＮＳＳまたはＡ−ＧＮＳＳ、拡張セルＩＤ、信号の到達時間（ＴＯＡ）、ＯＴＤＯＡなど、位置特定方法の１つまたは組合せに基づいて決定され得る。ＵＥロケーションは、たとえば、ＵＥがアイドル状態にあるとき、ＵＥをページングすることによっても取得され得る。ロケーション情報は、地理ロケーションおよび／または論理ロケーション、たとえば、ロケーション座標、既知のロケーションをもつ物体へのＵＥ近接度、セルにおけるまたはセル部分におけるＵＥロケーション、トラッキングエリア内のロケーションなどを備え得る。
【００９７】
ネットワークノードは、ＵＥが、拡張カバレッジ、たとえば、ＳＩＮＲ＜−６ｄＢの下で動作すること（すなわち、信号を受信および／または送信すること）が可能であるかどうかを示すＵＥ能力情報をも取得し得る。ＵＥ能力情報は、ＵＥからおよび／またはＵＥ能力を含んでいる別のネットワークノードから取得され得る。たとえば、ＵＥ能力情報が、ＵＥが拡張カバレッジの下で動作することが可能であることと、ＵＥが拡張カバレッジ（たとえば、ＳＩＮＲ＝−１０ｄＢ）の下で物理的にも動作していることとを示す場合、ネットワークは、ＵＥが拡張カバレッジにおいて実際に動作していると見なし得る。
【００９８】
ネットワークノードは、上述の１つまたは複数の基準を使用することによって、エリアにおけるＵＥのカバレッジレベルをも連続的にまたは定期的に監視し得る。これは、ネットワークノードが、たとえば、第１のネットワークノードに対するおよび／または少なくとも１つの第２のネットワークノードに対する、エリアにおけるＵＥのカバレッジレベルの任意の変更を知ることを可能にする。
【００９９】
信号送信設定のシグナリングは、アップリンクにおける推奨繰返し数を使用することによって、ＵＥが測定結果（たとえば、イベント）を報告することを可能にすることになる。結果として、測定結果（たとえば、イベント）は、ノード（たとえば、サービングネットワークノード）において正しく受信されることになる。対照的に、現在のソリューションによれば、測定報告遅延は、純粋にダウンリンクチャネルに依存する。また別の利点は、ＵＬリソースのスケジューリングが、繰返し数を考慮する場合、より効率的であり得ることである。
【０１００】
現在の要件は、最大、セル識別遅延（たとえば、Ｔｉｄｅｎｔｉｆｙ  ｉｎｔｒａ＿ＵＥ  ｃａｔ  Ｍ１）の、最大のイベントトリガ型測定報告遅延を指定する。この遅延は、いかなるＬ３フィルタ処理をも除く。しかしながら、関係するイベントがトリガされたセルが、セル識別遅延（たとえば、Ｔｉｄｅｎｔｉｆｙ  ｉｎｔｒａ＿ＵＥ  ｃａｔ  Ｍ１）に対応する時間期間の間、検出可能であり、次いで、≦５秒の期間の間、検出不可能になる場合、イベントトリガ型測定報告遅延要件は、そのセルのタイミングが、あるしきい値（たとえば、±５０Ｔｓ）よりも多く変化せず、Ｌ３フィルタ処理が使用されないという条件で、Ｌ１測定期間（たとえば、ＴＭｅａｓｕｒｅｍｅｎｔ＿Ｐｅｒｉｏｄ＿ＵＥ  ｃａｔ  Ｍ１，  Ｉｎｔｒａ）として指定される。
【０１０１】
わかるように、どちらの場合も、報告遅延は、アップリンクにおける必要とされる繰返し数を考慮しない。すなわち、既存のソリューションでは、測定結果は、ＵＥのサービングセルに対するＵＥ  ＣＥにかかわらず、繰返しなしにサービングセルに送信される。主要な問題は、現在の要件が適用された場合、特に、ＵＥが拡張カバレッジの下で動作している場合、測定結果（たとえば、イベント）がノード（たとえば、サービングネットワークノード）において正常に受信されないことがあることである。これは、測定結果を含んでいる信号（たとえば、ＰＵＳＣＨ）のＵＬ繰返しなしのアップリンク受信品質が、必要とされるレベルを下回ることになり、サービングネットワークノードの受信機における復号失敗をもたらすことになるからである。さらに、アップリンク繰返しとダウンリンク繰返しとが同一でないことがある。これは、アップリンク繰返しレベルが、たとえば、異なる送信電力レベルおよび／または異なる無線状態により、対応するダウンリンク繰返しよりもはるかに高くなり得るからである。言い換えれば、特に拡張カバレッジの下での現在の報告機構が、信頼できず、ＵＥが報告した測定結果に依拠するプロシージャの障害をもたらすことになる。そのようなプロシージャの例は、スケジューリング電力制御、モビリティ、ＳＯＮ、ＭＤＴ、測位、ネットワークプランニングなどである。
【０１０２】
既存の報告機構の短所を緩和するために、ＵＥが、拡張カバレッジの下で動作しており、アップリンク送信のための繰返しを必要とする場合、測定結果の報告における追加の遅延が許容され得る。この追加の遅延は、いかなるタイプギャップをも除く。ギャップは、一般に、周波数間測定を実施することと、異なるキャリア（たとえば、非サービングキャリア）上でセルの周波数同期を取得することとを行うために使用される。いくつかの特定の例では、ギャップは、他の検出可能なＵＥの同期を取得するために使用されることさえある。ギャップのいくつかの例は、測定ギャップおよびＵＥ自律ギャップである。
【０１０３】
ステップＳ６１５において、ネットワークノードは、アップリンク信号のある数の繰返しに関連する少なくとも１つのパラメータを備える決定された信号送信設定を伴ってＵＥを設定する（たとえば、ＵＥ設定をシグナリングまたは送信する）。ＵＬ信号は、ノードに測定結果を送信するためにＵＥによって使用されるべきである。ＵＥへの送信信号送信設定は、あらかじめ規定され得るインデックスまたは識別子に関して表され得、インデックスは、ノードに測定結果（たとえば、イベント）を報告するためにＵＥによって使用されるべき繰返しレベルの推奨値に対応する。別の例では、信号送信設定に対応するインデックスは、サービングネットワークノードによってブロードキャストされ得る。一例では、信号送信設定に関係する情報は、専用ＲＲＣシグナリングを使用してＵＥにシグナリングされ得る。
【０１０４】
ステップＳ６２０において、ネットワークノードは、ノードに、たとえば、ＵＥのサービングセルにＵＥによって報告された測定（たとえば、イベント、周期測定など）の結果を受信する。測定（たとえば、イベント）の結果は、１つまたは様々な動作タスクまたはプロシージャのためにネットワークノードによって使用され得る。動作タスクの例は、測位、信号のスケジューリング、ＵＬおよび／またはＤＬ電力制御、ドライブテストの最小化（ＭＤＴ）、測定を集めること、測定統計を取得すること、ＵＥロケーションに関連する測定のマップを作成すること、ＳＯＮ、リソース最適化、モビリティ、ＵＥ送信タイミング制御、タイミングアドバンスなどである。
【０１０５】
図７は、一実施形態による、ネットワークノード７００の機能ブロック図を例示する図である。ネットワークノード７００は、方法６００のステップＳ６０５の機能を行うように適応された、測定設定取得モジュール７０５と、ステップＳ６１０の機能を行うように適応された、送信設定決定モジュール７１０と、ステップＳ６１５の機能を行うように適応された、ＵＥ設定モジュール７１５と、ステップＳ６２０の機能を行うように適応された、測定受信モジュール７２０とを含む。ネットワークノード７００は、方法６００のステップＳ６２５の機能を行うように適応されたプロシージャ実装モジュール７２５をも含み得る。
【０１０６】
図２に示されているように、無線デバイスが汎用マイクロプロセッサを含む実施形態では、コンピュータプログラム製品が提供され得る。コンピュータプログラム製品は、コンピュータ可読命令を備えるコンピュータプログラムを記憶するコンピュータ可読媒体（たとえば、メモリ２１０）を含む。コンピュータ可読媒体は、限定されないが、磁気媒体（たとえば、ハードディスク）、光媒体（たとえば、ＤＶＤ）、メモリデバイス（たとえば、ランダムアクセスメモリ）など、非一時的コンピュータ可読媒体であり得る。いくつかの実施形態では、コンピュータ可読命令は、処理回路要素２０５によって実行されたとき、コンピュータ可読命令が、無線デバイスに、上記で説明されたステップ（たとえば、図４中のフローチャートを参照しながら上記で説明されたステップ）を実施させるように設定される。他の実施形態では、無線デバイスは、コードの必要なしに、本明細書で説明されるステップを実施するように設定され得る。すなわち、たとえば、処理回路要素２０５は、１つまたは複数のＡＳＩＣからなるにすぎないことがある。このため、本明細書で説明される実施形態の特徴は、ハードウェアおよび／またはソフトウェアで実装され得る。
【０１０７】
同様に、図４に示されているように、ネットワークノードが汎用マイクロプロセッサを含む実施形態では、コンピュータプログラム製品が同じく提供され得る。コンピュータプログラム製品は、コンピュータ可読命令を備えるコンピュータプログラムを記憶するコンピュータ可読媒体（たとえば、メモリ３１０）を含む。コンピュータ可読媒体は、限定されないが、磁気媒体（たとえば、ハードディスク）、光媒体（たとえば、ＤＶＤ）、メモリデバイス（たとえば、ランダムアクセスメモリ）など、非一時的コンピュータ可読媒体であり得る。いくつかの実施形態では、コンピュータ可読命令は、処理回路要素３０５によって実行されたとき、コンピュータ可読命令が、ネットワークノードに、上記で説明されたステップ（たとえば、図６中のフローチャートを参照しながら上記で説明されたステップ）を実施させるように設定される。他の実施形態では、ネットワークノードは、コードの必要なしに、本明細書で説明されるステップを実施するように設定され得る。すなわち、たとえば、処理回路要素３０５は、１つまたは複数のＡＳＩＣからなるにすぎないことがある。このため、本明細書で説明される実施形態の特徴は、ハードウェアおよび／またはソフトウェアで実装され得る。
【０１０８】
本開示の様々な実施形態が（添付の書類を含む）本明細書で説明されたが、それらの実施形態は、限定ではなく、例として提示されたにすぎないことを理解されたい。したがって、本開示の広さおよび範囲は、上記で説明された例示的な実施形態のうちのいずれかによって限定されるべきでない。その上、本明細書で別段に規定されていない限りまたはコンテキストによって別段に明確に否定されていない限り、それらのすべての考えられる変形形態における上記で説明されたエレメントの任意の組合せが、本開示によって包含される。
【０１０９】
さらに、上記で説明され、図面において例示されたプロセスは、ステップのシーケンスとして示されたが、これは、説明のためにのみ行われた。したがって、いくつかのステップが追加され得、いくつかのステップが省略され得、ステップの順序が並べ替えられ得、いくつかのステップが並列に実施され得ることが企図される。
【図１】
0006805356.tif 000007
【図２】
0006805356.tif 000008
【図３】
0006805356.tif 000009
【図４】
0006805356.tif 000010
【図５】
0006805356.tif 000011
【図６】
0006805356.tif 000012
【図７】
0006805356.tif 000013